(57)【要約】      （修正有）【課題】ダイヤモンドのテーブル面より入射した光源が、特殊な反射をすることにより、大小２つの五角形の星が視覚を通じて見えるダイヤモンドを提供する。【解決手段】ガードル２とガードル２の上部にテーブル５が設けられたクラウン３において、ガードル２の下部にパビリオン４が形成されるダイヤモンド１であって、パビリオン４の底部にカット面１２を設け、テーブル面５からカット面１２とその特殊反射による星型が見えるように形成される。また、クラウン３に４１面のカットが確立され、パビリオン４に３０面のカットが確立され、キューレット１３に１面のカットが確立され、全体として７２面のカットが確立される。【選択図】図１
0003138424.tif 000002
【実用新案登録請求の範囲】
【請求項１】
ガードルと、前記ガードルの上部にテーブル面が設けられたクラウンが形成されるとともに前記ガードルの下部にパビリオンが形成され、パビリオンの底部中心部にキューレットが形成されるダイヤモンドであって、前記キューレットを中心に五角形の星型のカット面が形成されるとともに、前記星型のカット面が前記テーブル面から見えるように形成されていることを特徴とする７２面体カットのダイヤモンドのプロポーション。
【請求項２】
視覚を通じて前記テーブル面からパビリオンに形成された五角形の星型のカット面及び前記星型カット面の特殊反射によって形成される小さな星型が見えることを特徴とする請求項１に記載の７２面体カットのダイヤモンドのプロポーション。
【請求項３】
前記クラウンに４１面のカットが確立され、前記パビリオンに３０面のカットが確立され、前記キューレットに１面のカットが確立され、全体として７２面のカットが確立されて形成されることを特徴とする請求項１に記載の７２面カットのダイヤモンドのプロポーション。
【考案の詳細な説明】
【技術分野】
【０００１】本考案は、ダイヤモンドのカットの違いによるダイヤモンドの視覚効果とダイヤモンドのプロポーションに関する。
【考案の内容】
【０００２】請求項１の考案は、ガードル（２）と、前記ガードルの上部にテーブル（５）面が設けられたクラウン（３）が形成されるとともに前記ガードルの下部にパビリオン（４）が形成され、パビリオンの底部中心部にキューレット（１３）が形成されるダイヤモンド（１）であって、前記キューレットを中心に星型になるようにカット面（１１、１２）が形成されるとともに、前記カット面が前記テーブル面から見えるように形成されていることを特徴とする。
【０００３】請求項２の考案は、前記テーブル面からキューレットに形成された五角形の星型のカット面及びその特殊反射によって形成される小さな星型が視覚を通じて見えることを特徴とする。
【０００４】請求項３の考案は、前記クラウンに４１面のカットが確立され、前記パビリオンに３０面のカットが確立され、前記キューレットに１面のカットが確立され、全体として７２面のカットが確立されて形成されることを特徴とする。
【考案を実施するための最良の形態】
【０００５】以下、本考案である７２面カットダイヤモンドのプロポーションに係る実施の形態について詳細に説明する。図１は７２面カットダイヤモンドプロポーションの全体図を示し、図２はクラウンの平面図、図３はパビリオンの底面図を示し、図４はクラウンから視覚を通じて見た時のイメージを示す。この７２面体カットダイヤモンド１のプロポーションは、ガードル２とガードル２の上部に形成されたクラウン３と、ガードル２の下部に形成されたパビリオン４とを備える。またパビリオン４の最底部（カット面）をキューレット１３と呼ぶ。【０００６】クラウン３は、カットが４１面形成されており、形状は台形形状である。
クラウン３の頂部は、図２に示すように、十角形に形成されたテーブル５を中心に備える。そのテーブル５の各辺に沿って、その各辺を一部に備える三角形状のスター・ファセット６、６．．．６が、テーブル５の周りに１０面形成される。また、形成されたスター・ファセット６の間には、スター・ファセット６を形成する一辺を一部に備える菱形形状のベゼル・ファセット７、７．．．７が、テーブル５とスター・ファセット６とを囲むように１０面形成される。更に、隣り合うベゼル・ファセット７の間には、ベゼル・ファセット７を形成する一辺を一部に備えた変形三角形状のアッパー・ガードル・ファセット８、８．．．８が、ガードル２に沿って２０面形成される。その結果、クラウン全体として４１面のカットが形成される。【０００７】パビリオン４は、カットが３０面形成されており、形状は三角形状である。パビリオン４の底部に、図３に示すように、菱形のカット面１２、１２．．．１２を５面形成し、星型を形成する。また星型の各辺を一部に備える三角形状のキューレット・ファセット１１、１１．．．１１が、星型の周りに１０面形成される。更に、隣り合うキューレット・ファセット１１の間には、キューレット・ファセット１１を形成する一辺を一部に備えた変形四角形状のロア・ガードル・ファセット１０、１０．．．１０が、ガードル２に沿って１０面形成される。また、ロア・ガードル・ファセット１０の間には、ロア・ガードル・ファセット１０を形成する一辺を一部に備えた変形三角形状のカット面９、９．．．９が、ガードル２に沿って５面形成される。その結果、クラウン全体として４１面のカットが形成される。
【考案の効果】
【０００８】以上のような７２面のカット面を備えることによって、図４に示すような大きな星型１２と小さな星型１４が視覚を通じて見えるため、高級感を生じる効果をもたらす。
【図面の簡単な説明】
【０００９】
【図１】本考案である７２面体カットプロポーションにおける全体構成図である。
【図２】７２面体カットプロポーションにおけるクラウンの平面図である。
【図３】７２面体カットプロポーションにおけるパビリオンの底面図である。
【図４】７２面体カットプロポーションにおける視覚を通じて見える参考図である。
【符号の説明】
【００１０】１  ダイヤモンド
２  ガードル
３  クラウン
４  パビリオン
５  テーブル（カット面）
６〜１２  カット面
１３  キューレット（カット面）
１４  特殊反射によって見える「星型」
【図１】
0003138424.tif 000003
【図２】
0003138424.tif 000004
【図３】
0003138424.tif 000005
【図４】
0003138424.tif 000006
【手続補正書】
【提出日】平成19年9月3日(2007.9.3)
【手続補正１】
【補正対象書類名】実用新案登録請求の範囲
【補正対象項目名】請求項１
【補正方法】変更
【補正の内容】
【請求項１】
ガードルと、前記ガードルの上部にテーブル面が設けられたクラウンが形成されるとともに前記ガードルの下部にパビリオンが形成され、パビリオンの底部中心部にキューレットが形成されるダイヤモンドであって、前記キューレットを中心に五角形の星型のカット面が形成されるとともに、前記星型のカット面が前記テーブル面から見えるように形成されていることを特徴とする７２面体カットのプロポーションのダイヤモンド。
【手続補正２】
【補正対象書類名】実用新案登録請求の範囲
【補正対象項目名】請求項２
【補正方法】変更
【補正の内容】
【請求項２】
視覚を通じて前記テーブル面からパビリオンに形成された五角形の星型のカット面及び前記星型カット面の特殊反射によって形成される小さな星型が見えることを特徴とする請求項１に記載の７２面体カットのプロポーションのダイヤモンド。
【手続補正３】
【補正対象書類名】実用新案登録請求の範囲
【補正対象項目名】請求項３
【補正方法】変更
【補正の内容】
【請求項３】
前記クラウンに４１面のカットが確立され、前記パビリオンに３０面のカットが確立され、前記キューレットに１面のカットが確立され、全体として７２面のカットが確立されて形成されることを特徴とする請求項１に記載の７２面カットのプロポーションのダイヤモンド。